(57)【要約】【課題】クレードルに対して移動する遮断器本体の位置を迅速かつ正確に把握できるようにする回路遮断器用位置表示装置及びこれを備えた回路遮断器を提供する。【解決手段】位置表示装置を備えた回路遮断器は、母線端子１１２及び負荷端子１１３を備えたクレードル１１０と、母線端子１１２及び負荷端子１１３にそれぞれ接続可能な母線接続部１０４及び負荷接続部１０５を備え、前記各端子と前記各接続部とが接続される運転位置と前記各端子と前記各接続部とが分離されるテスト位置との間を移動可能な遮断器本体１００と、遮断器本体１００の移動と連動して遮断器本体１００の位置を外部に表示する位置表示装置１１５とを有し、位置表示装置１１５は、遮断器本体１００の移動と連動する移動ピン１２０と、移動ピン１２０と連動して移動ピン１２０の位置に対応する位置を表示する表示部１６０とを有する。【選択図】図１
2010158159.tif 000002
【特許請求の範囲】
【請求項１】
母線端子及び負荷端子を備えたクレードルと、
前記母線端子及び前記負荷端子にそれぞれ接続可能な母線接続部及び負荷接続部を備え、前記各端子と前記各接続部とが接続される運転位置と前記各端子と前記各接続部とが分離されるテスト位置との間を移動可能な遮断器本体と、
前記遮断器本体の移動と連動して前記遮断器本体の位置を外部に表示する位置表示装置とを有し、
前記位置表示装置は、
前記遮断器本体の移動と連動する移動ピンと、
前記移動ピンと連動して前記移動ピンの位置に対応する位置を表示する表示部と、
を有することを特徴とする位置表示装置を備えた回路遮断器。
【請求項２】
前記位置表示装置は、
前記移動ピンと接触して前記移動ピンを移動させるカム部材と、
前記移動ピンが前記カム部材と接触するように付勢する弾性部材と、
をさらに有する、請求項１に記載の位置表示装置を備えた回路遮断器。
【請求項３】
前記弾性部材が引張コイルばねである、請求項２に記載の位置表示装置を備えた回路遮断器。
【請求項４】
前記位置表示装置は、
前記移動ピンの移動を案内するガイド部材をさらに有する、請求項１に記載の位置表示装置を備えた回路遮断器。
【請求項５】
前記ガイド部材は、
前記移動ピンが挿入されるガイドスロットが形成されたガイドパネルと、
前記ガイドパネルの両側で直角に折り曲げられた支持板と、
前記支持板の端部に備えられて前記遮断器本体の底面に固定される固定板と、
を有する、請求項４に記載の位置表示装置を備えた回路遮断器。
【請求項６】
前記位置表示装置は、
前記表示部の一領域が外部に露出するように形成されるウィンドウをさらに有する、請求項１に記載の位置表示装置を備えた回路遮断器。
【請求項７】
前記表示部は、
前記運転位置にあることを表示する第１表示部と、
前記テスト位置にあることを表示する第２表示部とを有し、
前記ウィンドウは、前記第１表示部と前記第２表示部のいずれか一方が外部に露出するように形成される、請求項６に記載の位置表示装置を備えた回路遮断器。
【請求項８】
前記ウィンドウが、前記遮断器本体に形成される、請求項７に記載の位置表示装置を備えた回路遮断器。
【請求項９】
前記カム部材は、
前記遮断器本体の移動方向に沿って配置される結合板と、
前記結合板に連結され、一側に加圧面が形成される加圧板と、
を有する、請求項２に記載の位置表示装置を備えた回路遮断器。
【請求項１０】
前記加圧面は、
前記テスト位置にある時に前記移動ピンが接触する第１加圧面と、
前記第１加圧面の一側に延びて前記第１加圧面より突出した第２加圧面と、
前記第２加圧面の一側に延びて前記第２加圧面より突出し、前記運転位置にある時に前記移動ピンが接触する第３加圧面と、
を有する、請求項９に記載の位置表示装置を備えた回路遮断器。
【請求項１１】
クレードルに対して運転位置とテスト位置との間を移動可能に設置される遮断器本体と連動して移動する移動ピンと、
前記移動ピンと連動して前記移動ピンの位置に対応する位置を表示する表示部とを有し、
前記遮断器本体の位置を外部に表示することを特徴とする回路遮断器用位置表示装置。
【請求項１２】
前記移動ピンと接触して前記移動ピンを案内するカム部材と、
前記移動ピンが前記カム部材と接触するように付勢する弾性部材と、
をさらに有する、請求項１１に記載の回路遮断器用位置表示装置。
【請求項１３】
前記表示部の一領域が外部に露出するように形成されるウィンドウをさらに有する、請求項１２に記載の回路遮断器用位置表示装置。
【請求項１４】
クレードルに対して運転位置とテスト位置との間を移動可能に設置される遮断器本体と連動して移動する移動ピンと、
前記移動ピンと連動して前記移動ピンの位置に対応する位置を表示する表示部と、
前記移動ピンと接触して前記移動ピンを案内するカム部材と、
前記移動ピンが前記カム部材と接触するように付勢する弾性部材と、
前記表示部の一領域が外部に露出するように形成されるウィンドウと、
を有することを特徴とする回路遮断器用位置表示装置。
【発明の詳細な説明】
【技術分野】
【０００１】
本発明は、回路遮断器用位置表示装置及びこれを備えた回路遮断器に関し、特にクレードルに対して移動する遮断器本体の位置を迅速かつ正確に把握できるようにする回路遮断器用位置表示装置及びこれを備えた回路遮断器に関する。
【背景技術】
【０００２】
一般に、回路遮断器は、大別して引出型と固定型とに分類される。前記固定型回路遮断器は、遮断器本体が配電盤のパネル内に固定配置されるように構成され、前記引出型回路遮断器は、遮断器本体がクレードルに対して引き出し可能に構成される。
【０００３】
前記引出型回路遮断器は、発電所や変電所などの運転又は制御、電動機の運転などのために、遮断器を含む様々な電気機器を収納して管理する配電盤に使用される。
【０００４】
前記引出型回路遮断器のクレードルは、母線端子と負荷端子とを備える。前記引出型回路遮断器の遮断器本体は、前記母線端子に接続される母線接続部と、前記負荷端子に接続される負荷接続部とを備える。さらに、前記遮断器本体は、前記母線接続部と前記負荷接続部の一方に接続されるように固定配置される固定接触子と、前記母線接続部と前記負荷接続部の他方に接続され、前記固定接触子への接触及び前記固定接触子からの分離が可能に配置される可動接触子と、前記可動接触子を駆動する駆動ユニットとを備える。
【０００５】
一方、前記遮断器本体は、前記クレードルの母線端子及び負荷端子と前記遮断器本体の母線接続部及び負荷接続部とがそれぞれ接続されて通電が可能な運転位置と、前記クレードルの母線端子及び負荷端子と前記遮断器本体の母線接続部及び負荷接続部とが分離されるテスト位置との間を移動する。前記遮断器本体及び前記クレードルには、前記遮断器本体を前記運転位置及びテスト位置にそれぞれ位置固定できるように、インターロック装置が備えられる。
【０００６】
前記クレードルには、前記遮断器本体の位置を表示する位置表示部が備えられる。前記位置表示部は、表面に前記遮断器本体の位置を示す文字があるステッカーで構成される。前記位置表示部は、前記遮断器本体の移動方向に沿って前記クレードルに貼り付けられている。前記位置表示部の表面には、前記遮断器本体が運転位置及びテスト位置にあることを示す文字、線、又は図形がそれぞれ備えられる。より具体的には、前記遮断器本体が前記テスト位置にあると、前記遮断器本体が運転位置にあることを示す文字、線、又は図形は前記遮断器本体により視覚的に遮断され、前記遮断器本体がテスト位置にあることを示す文字、線、又は図形のみ外部に露出する。これにより、前記遮断器本体が前記テスト位置にあることを認識することができる。また、前記遮断器本体が前記運転位置に移動すると、前記遮断器本体が運転位置にあることを示す文字、線、又は図形が外部に表示されることにより、前記遮断器本体の現在位置が前記運転位置であることを認識することができる。このとき、前記遮断器本体がテスト位置にあることを示す文字、線、又は図形も外部に露出する。
【発明の概要】
【発明が解決しようとする課題】
【０００７】
ところが、このような従来の回路遮断器においては、遮断器本体の現在位置を示す文字、線、又は図形を備えた位置表示部（ステッカー）をクレードルの上面に貼り付け、遮断器本体の移動に応じて遮断器本体の該当位置を示す文字、線、又は図形の一部又は全部を表示させて遮断器本体の現在位置を認識できるようにしており、遮断器本体の位置を直観的に把握することが困難である。
【０００８】
本発明は、このような従来技術の問題を解決するためになされたもので、回路遮断器の位置を迅速かつ正確に把握できるようにする回路遮断器用位置表示装置及びこれを備えた回路遮断器を提供することを目的とする。
【０００９】
本発明の他の目的は、遮断器本体の複数の位置のいずれか１つのみを外部に表示させることにより、遮断器本体の現在位置を直観的に識別できるようにする回路遮断器用位置表示装置及びこれを備えた回路遮断器を提供することにある。
【課題を解決するための手段】
【００１０】
上記の目的を達成するために、本発明は、母線端子及び負荷端子を備えたクレードルと、前記母線端子及び前記負荷端子にそれぞれ接続可能な母線接続部及び負荷接続部を備え、前記各端子と前記各接続部とが接続される運転位置と前記各端子と前記各接続部とが分離されるテスト位置との間を移動可能な遮断器本体と、前記遮断器本体の移動と連動して前記遮断器本体の位置を外部に表示する位置表示装置とを有し、前記位置表示装置は、前記遮断器本体の移動と連動する移動ピンと、前記移動ピンと連動して前記移動ピンの位置に対応する位置を表示する表示部とを有することを特徴とする位置表示装置を備えた回路遮断器を提供する。
【００１１】
前記位置表示装置は、前記移動ピンと接触して前記移動ピンを移動させるカム部材と、前記移動ピンが前記カム部材と接触するように付勢する弾性部材とをさらに有していてもよい。
【００１２】
前記弾性部材は、引張コイルばねで構成してもよい。
【００１３】
前記位置表示装置は、前記移動ピンの移動を案内するガイド部材をさらに有していてもよい。
【００１４】
前記ガイド部材は、前記移動ピンが挿入されるガイドスロットが形成されたガイドパネルと、前記ガイドパネルの両側で直角に折り曲げられた支持板と、前記支持板の端部に備えられて前記遮断器本体の底面に固定される固定板とを有していてもよい。
【００１５】
前記位置表示装置は、前記表示部の一領域が外部に露出するように形成されるウィンドウをさらに有していてもよい。
【００１６】
前記表示部は、前記運転位置にあることを表示する第１表示部と、前記テスト位置にあることを表示する第２表示部とを有し、前記ウィンドウは、前記第１表示部と前記第２表示部のいずれか一方が外部に露出するように形成してもよい。
【００１７】
前記ウィンドウは、前記遮断器本体に形成されるように構成してもよい。
【００１８】
前記カム部材は、前記遮断器本体の移動方向に沿って配置される結合板と、前記結合板に連結され、一側に加圧面が形成される加圧板とを有して構成してもよい。
【００１９】
前記加圧面は、前記移動ピンが前記テスト位置で接触する第１加圧面と、前記第１加圧面の一側に延びて前記第１加圧面より突出した第２加圧面と、前記第２加圧面の一側に延びて前記第２加圧面より突出し、前記移動ピンが前記運転位置で接触する第３加圧面とを有して構成してもよい。
【００２０】
一方、本発明の他の態様によれば、クレードルに対して運転位置とテスト位置との間を移動可能に設置される遮断器本体と連動して移動する移動ピンと、前記移動ピンと連動して前記移動ピンの位置に対応する位置を表示する表示部とを有し、前記遮断器本体の位置を外部に表示する回路遮断器用位置表示装置が提供される。
【００２１】
前記回路遮断器用位置表示装置は、前記移動ピンと接触して前記移動ピンを案内するカム部材と、前記移動ピンが前記カム部材と接触するように付勢する弾性部材とをさらに有していてもよい。
【００２２】
前記回路遮断器用位置表示装置は、前記表示部の一領域が外部に露出するように形成されるウィンドウをさらに有していてもよい。
【００２３】
一方、本発明のさらに他の態様によれば、クレードルに対して運転位置とテスト位置との間を移動可能に設置される遮断器本体と連動して移動する移動ピンと、前記移動ピンと連動して前記移動ピンの位置に対応する位置を表示する表示部と、前記移動ピンと接触して前記移動ピンを案内するカム部材と、前記移動ピンが前記カム部材と接触するように付勢する弾性部材と、前記表示部の一領域が外部に露出するように形成されるウィンドウとを有する回路遮断器用位置表示装置が提供される。
【発明の効果】
【００２４】
本発明の一実施形態によれば、遮断器本体の移動と連動する移動ピンと、移動ピンと連動して遮断器本体の位置を表示する表示部とを備えることにより、遮断器本体の現在位置を迅速かつ正確に把握することができる。
【００２５】
また、表示部の一領域が外部に露出するように形成されるウィンドウをさらに備えることにより、遮断器本体の複数の位置のいずれか１つのみ外部に表示されるので、遮断器本体の現在位置を直観的に認識することができる。
【図面の簡単な説明】
【００２６】
【図１】本発明の一実施形態による位置表示装置を備えた回路遮断器の遮断器本体を示す斜視図である。
【図２】本発明の一実施形態による位置表示装置を備えた回路遮断器のクレードルを示す斜視図である。
【図３】図１の遮断器本体と図２のクレードルの結合状態を示す側面図である。
【図４】図３の遮断器本体の運転位置を示す図である。
【図５】図１の遮断器本体のフレーム部の底面図である。
【図６】図５の移動ピン及びガイド部材領域の拡大斜視図である。
【図７】図５の移動ピン及び図２のカム部材の作用を説明するための図である。
【発明を実施するための形態】
【００２７】
以下、本発明の好ましい実施形態について添付図面を参照して詳細に説明する。
【００２８】
図１〜図７に示すように、本発明による位置表示装置を備えた回路遮断器は、母線端子１１２及び負荷端子１１３を備えたクレードル１１０と、母線端子１１２及び負荷端子１１３にそれぞれ接続可能な母線接続部１０４及び負荷接続部１０５を備え、各端子１１２、１１３と各接続部１０４、１０５とがそれぞれ接続される運転位置と各端子１１２、１１３と各接続部１０４、１０５とが分離されるテスト位置との間を移動可能な遮断器本体１００と、遮断器本体１００の移動と連動して遮断器本体１００の位置を外部に表示する位置表示装置１１５とを有する。
【００２９】
クレードル１１０は、図２に示すように、遮断器本体１００が載置されて移動する水平部１１０ａと、遮断器本体１００が接続又は分離される垂直部１１０ｂとを有して構成される。垂直部１１０ｂには、母線と接続される複数の母線端子１１２及び負荷と接続される複数の負荷端子１１３が備えられる。ここで、母線端子１１２及び負荷端子１１３はそれぞれ３つで構成される。また、母線端子１１２と負荷端子１１３とは上下に離隔して配置され、母線端子１１２同士及び負荷端子１１３同士は水平方向に離隔して配置される。
【００３０】
遮断器本体１００は、図１及び図３に示すように、クレードル１１０の母線端子１１２に接触する母線接続部１０４と、クレードル１１０の負荷端子１１３に接触する負荷接続部１０５と、母線接続部１０４と負荷接続部１０５との間に介在して負荷を開閉する開閉部１０２と、母線接続部１０４、負荷接続部１０５、及び開閉部１０２の下側でこれらを支持するフレーム部１７０とを有して構成される。
【００３１】
ここで、開閉部１０２は、図示していないが、母線接続部１０４と負荷接続部１０５の一方と連結され、固定配置される固定接触子と、母線接続部１０４と負荷接続部１０５の他方と連結され、前記固定接触子への接触及び前記固定接触子からの分離が可能に配置される可動接触子と、前記可動接触子の前記固定接触子への接触及び前記固定接触子からの分離が行われるように前記可動接触子を駆動する駆動部とを備えて構成される。
【００３２】
開閉部１０２の前面には、前記駆動部を操作できるように複数の操作ボタン１０３が備えられる。操作ボタン１０３の一つは、前記可動接触子を前記固定接触子に接触させる投入ボタンとし、操作ボタン１０３の他の一つは、前記可動接触子を前記固定接触子から分離させる遮断ボタンとしてもよい。
【００３３】
フレーム部１７０には、移動を容易にする複数のローラ１０８が備えられる。フレーム部１７０の前面には、遮断器本体１００を移動させるためのハンドル（図示せず）が結合されるハンドル結合部１０１が備えられる。
【００３４】
遮断器本体１００及びクレードル１１０には、遮断器本体１００を前記運転位置及びテスト位置にそれぞれ固定できるように、インターロック装置が備えられる。前記インターロック装置は、遮断器本体１００の底部に備えられるインターロックリンク１０７と、インターロックリンク１０７が挿入されるようにクレードル１１０に形成される位置決定溝１１１ａ、１１１ｂとを備えて構成される。
【００３５】
より具体的には、インターロックリンク１０７は、遮断器本体１００のフレーム部１７０に備えられる。インターロックリンク１０７は、上下方向に移動可能に形成される。フレーム部１７０の前面には、インターロックリンク１０７を昇降操作できるように、インターロックリンク１０７のハンドル１０７ａが備えられる。
【００３６】
位置決定溝１１１ａ、１１１ｂは、クレードル１１０の水平部１１０ａに備えられたインターロックプレート１１１に形成される。位置決定溝１１１ａ、１１１ｂは、遮断器本体１００が運転位置にある時にインターロックリンク１０７の下端が挿入される運転位置決定溝１１１ｂと、遮断器本体１００がテスト位置にある時にインターロックリンク１０７の下端が挿入されるテスト位置決定溝１１１ａとからなる。
【００３７】
一方、位置表示装置１１５は、遮断器本体１００の移動と連動する移動ピン１２０と、移動ピン１２０と連動して移動ピン１２０の位置に対応する位置を表示する表示部１６０とを有して構成される。
【００３８】
位置表示装置１１５は、移動ピン１２０と接触して移動ピン１２０を移動させるカム部材１４０と、移動ピン１２０がカム部材１４０と接触するように付勢する弾性部材１３４とをさらに有する。
【００３９】
位置表示装置１１５は、フレーム部１７０に形成されて表示部１６０の一領域を外部に露出させるウィンドウ１７１をさらに有する。より具体的には、ウィンドウ１７１は、表示部１６０に表示された２つの位置、すなわち運転位置（ＲＵＮ）とテスト位置（ＴＥＳＴ）のいずれか一方のみ外部に露出するように構成される。
【００４０】
移動ピン１２０は、遮断器本体１００に備えられる。より具体的には、移動ピン１２０は、フレーム部１７０の底部に遮断器本体１００の移動方向（前後方向）に対して直角方向（左右方向）に移動可能に構成される。ここで、移動ピン１２０は、フレーム部１７０の上下方向に配置される。
【００４１】
表示部１６０は、移動ピン１２０に結合され、ウィンドウ１７１の一側に配置される。これは、移動ピン１２０の移動時、ウィンドウ１７１から表示部１６０の一領域を外部に露出させることによって、遮断器本体１００が複数の位置（運転位置とテスト位置）のいずれか１つにあることを表示させるためである。これにより、遮断器本体１００の現在位置を直観的に認識することができる。
【００４２】
位置表示装置１１５は、移動ピン１２０の移動を案内するガイド部材１３０をさらに有する。ガイド部材１３０は、移動ピン１２０の一領域が挿入されて移動できるように、ガイドスロット１３２を備える。ガイドスロット１３２は、移動ピン１２０の移動軌跡に対応するように長く形成される。
【００４３】
ガイド部材１３０は、移動ピン１２０が挿入されるガイドスロット１３２が形成されたガイドパネル１３１と、ガイドパネル１３１の両側で直角に折り曲げられた支持板１３３と、支持板１３３の端部で折り曲げられて遮断器本体１００の底面に固定される固定板１３５とを有して構成される。固定板１３５には、フレーム部１７０に結合されるねじなどの締結部材（図示せず）が挿入されるように、貫通孔１３６が形成される。貫通孔１３６は複数でもよい。ガイド部材１３０は、固定板１３５がフレーム部１７０の底面に接触するように結合される。
【００４４】
表示部１６０は、板状に形成され、上下方向に配置される。表示部１６０は、遮断器本体１００の位置を表示できるように、表面（外面）に第１表示部１６０ａ及び第２表示部１６０ｂを備える。
【００４５】
第１表示部１６０ａ及び第２表示部１６０ｂは、遮断器本体１００の位置を識別できるようにする文字をそれぞれ有する。第１表示部１６０ａと第２表示部１６０ｂとは、移動ピン１２０の移動方向に沿って所定間隔離隔して形成される。
【００４６】
第１表示部１６０ａは、遮断器本体１００が運転位置にあることを表示するように構成される。第１表示部１６０ａには、例えば「ＲＵＮ」の文字がある。第２表示部１６０ｂは、遮断器本体１００がテスト位置にあることを表示するように構成される。第２表示部１６０ｂには、例えば「ＴＥＳＴ」の文字がある。第１表示部１６０ａの「ＲＵＮ」及び第２表示部１６０ｂの「ＴＥＳＴ」の各文字は上下方向に配列してもよい。
【００４７】
表示部１６０は、移動ピン１２０と連動するように移動ピン１２０に結合される。表示部１６０は、移動ピン１２０に結合できるように、表示部１６０の下部で折り曲げられて水平方向に配置される結合部１６１をさらに備える。これにより、表示部１６０は略「Ｌ」字形状を有する。表示部１６０は、ウィンドウ１７１が形成されたフレーム部１７０の前面部の背後に配置される。これにより、表示部１６０は、フレーム部１７０の前面部によりガイドされ、結合部１６１は、ガイドパネル１３１に接触してガイドされる。
【００４８】
結合部１６１には、移動ピン１２０が挿入結合されるように、移動ピン孔１６２が貫通形成される。移動ピン１２０は、移動ピン孔１６２に挿入され、ガイドスロット１３２を貫通して、下端がガイドパネル１３１の下端より所定長さ突出する。
【００４９】
一方、カム部材１４０は、クレードル１１０に備えられる。より具体的には、カム部材１４０は、図２に示すように、移動ピン１２０と接触できるように、クレードル１１０の水平部１１０ａの上面に設置される。ここで、カム部材１４０は、遮断器本体１００の移動方向に沿って配置される。
【００５０】
カム部材１４０は、移動ピン１２０の一側で移動ピン１２０と接触して、移動ピン１２０が横方向に移動するように加圧する加圧面を備える。
【００５１】
カム部材１４０は、遮断器本体１００の移動方向に沿って配置される結合板１４１と、結合板１４１に連結され、一側に前記加圧面が形成される加圧板１４２とを有して構成される。
【００５２】
結合板１４１は、クレードル１１０の水平部１１０ａの上面に接触するように、遮断器本体１００の移動方向に沿って配置される。結合板１４１には、クレードル１１０との結合のための複数の貫通孔１４３が備えられる。
【００５３】
加圧板１４２は、結合板１４１の一側辺部から上方に折り曲げられ、さらに水平方向に折り曲げられて形成される。加圧板１４２の側部には、移動ピン１２０を移動させることができるように、異なる突出長さを有する加圧面が形成される。前記加圧面は階段状に形成してもよい。
【００５４】
前記加圧面は、図７に示すように、前記テスト位置にあるときに移動ピン１２０が接触する第１加圧面１５１と、第１加圧面１５１の一側に延びて第１加圧面１５１より突出した第２加圧面１５２と、第２加圧面１５２の一側に延びて第２加圧面１５２より突出し、前記運転位置にある時に移動ピン１２０が接触する第３加圧面１５３とを有して構成される。つまり、第２加圧面１５２は、第１加圧面１５１より結合板１４１を基準に移動ピン１２０側にさらに突出し、第３加圧面１５３は、第２加圧面１５２より結合板１４１を基準に移動ピン１２０側にさらに突出する。
【００５５】
移動ピン１２０には、移動ピン１２０がカム部材１４０と接触するように付勢する弾性部材１３４が備えられる。弾性部材１３４は、図６に示すように、引張コイルばねで構成される。弾性部材１３４の一端は支持板１３３に固定され、他端は移動ピン１２０に連結される。ここで、弾性部材１３４は、圧縮コイルばねで構成してもよい。
【００５６】
このような構成により、遮断器本体１００は、前記テスト位置にある時には、図３に示すように、クレードル１１０の水平部１１０ａの前方領域に配置される。遮断器本体１００がテスト位置にあるとき、母線接続部１０４及び負荷接続部１０５は、それぞれ母線端子１１２及び負荷端子１１３から分離されている。このとき、インターロックリンク１０７はテスト位置決定溝１１１ａに挿入されている。これにより、遮断器本体１００の不意の位置離脱を防止することができる。
【００５７】
また、移動ピン１２０は、弾性部材１３４の付勢力によりカム部材１４０の第１加圧面１５１と接触している。これにより、表示部１６０においては、第２表示部１６０ｂの文字「ＴＥＳＴ」のみウィンドウ１７１から外部に露出する。これにより、ウィンドウ１７１を一見するだけで、遮断器本体１００の現在位置がテスト位置であることを直観的かつ明確に認識することができる。
【００５８】
一方、遮断器本体１００を前記運転位置に移動させるためには、インターロックリンク１０７のハンドル１０７ａを上方に加圧する。これにより、インターロックリンク１０７の下端はテスト位置決定溝１１１ａから分離される。遮断器本体１００を後方に加圧すると、遮断器本体１００はローラ１０８が回転して後方に移動する。このとき、移動ピン１２０は、第１加圧面１５１から出発して第２加圧面１５２と弾性的に接触して加圧されて、遮断器本体１００の移動方向（前後方向）に対して直角方向（左右方向）に移動する。
【００５９】
遮断器本体１００が移動を続けると、母線接続部１０４及び負荷接続部１０５は母線端子１１２及び負荷端子１１３にそれぞれ接続される。遮断器本体１００が運転位置の定位置にあると、インターロックリンク１０７の下端は運転位置決定溝１１１ｂに挿入される。これにより、遮断器本体１００の不意の位置離脱を防止することができる。
【００６０】
遮断器本体１００が前記テスト位置から前記運転位置に移動することによって、移動ピン１２０は、第１加圧面１５１を出発して第２加圧面１５２を過ぎて第３加圧面１５３に接触する。これと同時に、表示部１６０もウィンドウ１７１に対して移動する。
【００６１】
遮断器本体１００が前記運転位置に停止すると、移動ピン１２０は第３加圧面１５３に接触する。このとき、表示部１６０においては、第１表示部１６０ａの文字である「ＲＵＮ」のみウィンドウ１７１から外部に露出する。これにより、ウィンドウ１７１を一見するだけで、遮断器本体１００の現在位置が運転位置であることを直観的に、また迅速かつ容易に認識することができる。
【００６２】
本発明について、特定の実施形態に関して図示及び説明したが、本発明の思想や本質的な特性から逸脱しない範囲内で様々な形態で実現することができ、上記実施形態はいかなる詳細な説明の内容によっても限定されない。
【００６３】
また、詳細な説明に記載されていない実施形態であっても、添付された特許請求の範囲に定義された技術思想の範囲内で広く解釈されるべきである。さらに、本発明の特許請求の範囲及びその均等物の範囲内で行われる変更及び変形は本発明の特許請求の範囲に含まれる。
【符号の説明】
【００６４】
１００    遮断器本体
１０４    母線接続部
１０５    負荷接続部
１１０    クレードル
１１２    母線端子
１１３    負荷端子
１１５    位置表示装置
１２０    移動ピン
１３０    ガイド部材
１３１    ガイドパネル
１３２    ガイドスロット
１３３    支持板
１３４    弾性部材
１３５    固定板
１４０    カム部材
１４１    結合板
１４２    加圧板
１５１    第１加圧面
１５２    第２加圧面
１５３    第３加圧面
１６０    表示部
１６０ａ    第１表示部
１６０ｂ    第２表示部
１７１    ウィンドウ
【図１】
2010158159.tif 000003
【図２】
2010158159.tif 000004
【図３】
2010158159.tif 000005
【図４】
2010158159.tif 000006
【図５】
2010158159.tif 000007
【図６】
2010158159.tif 000008
【図７】
2010158159.tif 000009